(57)【特許請求の範囲】
【請求項１】
歯内治療器具の収納ケースであって、施術者が一連に使用する複数の歯内治療器具を載置するトレイ、底及びふたを有し、該トレイが、少なくとも１つの処置の一連する手順を表示する使用順序表示を有し、上記ふたが、処置の開始時に施術者によって取り除かれるようになっているものにおいて、上記ふたが、上記一連の手順で上記歯内治療器具が使われた回数を示す少なくとも一つのカウンターを備えていることを特徴とする歯内治療器具の収納ケース。
【請求項２】
請求項１の歯内治療器具の収納ケースにおいて、同一の直径を有する上記複数の歯内治療器具からなる器具群をハンドルの色で特定し、その色に対応してカウンターを備えることを特徴とする歯内治療器具の収納ケース。
【請求項３】
請求項１または２の歯内治療器具の収納ケースにおいて、上記カウンターが、０からカウントを始め、新しい操作時に、製造業者の推薦する最大使用回数に対応するまでカウントすることを特徴とする歯内治療器具の収納ケース。
【請求項４】
請求項１ないし３のいずれかの歯内治療器具の収納ケースにおいて、上記カウンターが、触感による位置のクリックシステムを備える回転型のものであることを特徴とする歯内治療器具の収納ケース。
【請求項５】
請求項１ないし３のいずれかの歯内治療器具の収納ケースにおいて、上記カウンターが、スロットに沿って直線的に可動なスライダーであることを特徴とする歯内治療器具の収納ケース。
【発明の詳細な説明】
【０００１】
【発明の属する技術分野】
本発明は、歯内治療具の収納ケースに関する。
【０００２】
【従来の技術及び発明が解決しようとする課題】
歯内治療処置を実行する際には、歯の根管を削る円錐状の器具が使用される。施術者の作業をより簡単にするために、歯内治療器具はトレイ上に置かれる。施術者は、トレイ上に概略的に示されている操作手順及び選択された図にしたがって器具を順に使っていけばよいだけである。
【０００３】
それらの器具を直径によって区別するために、器具のハンドルにその直径に対応する色が付けてある。たとえば呼径２０の器具は黄色、呼径２５の器具は赤、呼径３０の器具は青などのように色を付ける。また、無菌状態を保つために、器具を患者に対して使用する前に殺菌することが絶対に重要である。これらの器具は一回の使用だけに限られていないからである。
【０００４】
さらに、それらの器具が何回使われたかを知っていることは施術者には特に有用である。処置の間に、疲労で破損する前に特定の疲労を経験した器具を捨てられるからである。ところが、各サイズの器具ごとに使用回数をカウントする手段を備えるようにすることは考えられない。
【０００５】
本発明は、上記従来の諸問題点を解決できる歯内治療具の収納ケースを提供することを目的とする。
【０００６】
【課題を解決するための手段】
本発明の請求項１に係る歯内治療器具の収納ケースは、上記目的を達成するために、歯内治療器具の収納ケースであって、施術者が一連に使用する複数の歯内治療器具を載置するトレイ、底及びふたを有し、該トレイが、少なくとも１つの処置の一連する手順を表示する使用順序表示を有し、上記ふたが、処置の開始時に施術者によって取り除かれるようになっているものにおいて、上記ふたが、上記一連の手順で上記歯内治療器具が使われた回数を示す少なくとも一つのカウンターを備えていることを特徴とする。
【０００７】
同請求項２に係る歯内治療器具の収納ケースは、上記目的を達成するために、請求項１の歯内治療器具の収納ケースにおいて、同一の直径を有する上記複数の歯内治療器具からなる器具群をハンドルの色で特定し、その色に対応してカウンターを備えることを特徴とする。
【０００８】
同請求項３に係る歯内治療器具の収納ケースは、上記目的を達成するために、請求項１または２の歯内治療器具の収納ケースにおいて、上記カウンターが、０からカウントを始め、新しい操作時に、製造業者の推薦する最大使用回数に対応するまでカウントすることを特徴とする。
【０００９】
同請求項４に係る歯内治療器具の収納ケースは、上記目的を達成するために、請求項１ないし３のいずれかの歯内治療器具の収納ケースにおいて、上記カウンターが、触感による位置のクリックシステムを備える回転型のものであることを特徴とする。
【００１０】
同請求項５に係る歯内治療器具の収納ケースは、上記目的を達成するために、請求項１ないし３のいずれかの歯内治療器具の収納ケースにおいて、上記カウンターが、スロットに沿って直線的に可動なスライダーであることを特徴とする。
【００１１】
すなわち、本発明によるケースは、歯内治療器具の収納及び使用のために、施術者による操作手順を示すトレイの上に、器具を連続的に使用できるように配置する。このトレイは、底及びふたを有し、色によって識別される少なくとも１つの処置手順を示す。ふたは処置を開始する時に施術者によって取り除かれる。このふたは、何回使われたかを示す少なくとも１つのカウンターを備えている。したがって、異なる色の３つの処理手段が設けてある場合、３つのカウンターが、ふたに設けてあり、各カウンターは、それに対応する処理手段と同じ色によって識別されている。一つの作業手順に対応するトレイを各々有する３つの場合がある。ふたは、作業手順を色で示す一つのカウンターを備えている。新しい作業手順のために、カウンターを、たとえば、０から始めて製造業者が推奨する器具の最大使用回数までカウントするように構成できる。たとえば、カウンターを、位置の触感によるクリックシステムを望ましくは備えている回転型のものとすることができる。また、直線状のスライダーとすることもできる。
【００１２】
【発明の実施の形態及び実施例】
以下本発明の実施の形態及び実施例を図面を参照して説明する。
図１は、歯内治療器具を含むトレイの平面図形である。また図２は、３つの作業手順を有するトレイを備えた本発明の実施形態でのふたの斜視図である。
【００１３】
トレイ１を収納するために、ケースは底及びふたを有する。トレイ１上には、可撓性の切削具を保持するためのハンドルのような歯内治療器具を正常な角度で置く。施術者の作業をより簡単なものにするために、器具はそれらの直径及び円錐角度によるサイズ順で整列させる。既知の治療方法では、６％、４％及び２％の円錐角度を持つ器具群が、２０、２５及び３０の直径を備えている。
【００１４】
各器具群で同一の直径の器具は、特定のハンドル色によって識別する。操作手順は、トレイ上に使用順序表示２として概略的に示されている。道具のハンドルの色に応じて、ふた３の上に多数のスロット４、５、６がハンドルの色に応じて設けてある。
【００１５】
スライダー７、８、９は、各スロットにおいて、０から１０（数字は図示せず）の範囲までスライドする。各器具群が使用された回数が、このように一目でわかる。そして、各器具がいつ捨てなければならないかも簡単に決定できる。
【００１６】
【発明の効果】
本発明に係る歯内治療器具の収納ケースは、以上説明してきたようなものなので、収納してある歯内治療器具がこれまでに何回使われたかを簡単に知ることができ、処置の間に疲労で破損する前に廃棄できるという効果がある。
【図面の簡単な説明】
【図１】歯内治療器具を含むトレイの平面図形である。
【図２】３つの作業手順を有するトレイを備えた本発明の実施形態でのふたの斜視図である。
【符号の説明】
１  トレイ
２  使用順序表示
３  ふた
４、５、６  スロット
７、８、９  スライダー
【図１】
0004292496.tif 000002
【図２】
0004292496.tif 000003